(57)【要約】【課題】  本発明は、収納したコップが破損することを防止でき、且つコップの収納作業を比較的簡易に行うことができるコップ収納ケースを提供する。【解決手段】  シート材を組み立てて形成されており、コップＡを収納可能な上面開口型のケース本体２と、ケース本体２の上面開口部の対向二縁からそれぞれ連設された一対の保持片３，３と、を有し、各保持片３，３を内側へ折り曲げることによって、収納されたコップＡの開口端部に接する保持面部３１が形成され、更に、各保持片３，３の中途部をコップＡの内周面側へ折り曲げることによって、コップＡの内周面に接しうる緩衝面部３２が形成されており、折り曲げられた一対の保持片３，３の間に、所定の物品を挿入脱可能な挿入口が形成されているコップ収納ケース１。【選択図】  図１
2008094479.tif 000002
【特許請求の範囲】
【請求項１】
シート材を組み立てて形成されており、
コップを収納可能な上面開口型のケース本体と、ケース本体の上面開口部の対向二縁からそれぞれ連設された一対の保持片と、を有し、
各保持片を内側へ折り曲げることによって、収納されたコップの開口端部に接する保持面部が形成され、更に、各保持片の中途部をコップの内周面側へ折り曲げることによって、該コップの内周面に接しうる緩衝面部が形成されており、
折り曲げられた一対の保持片の間に、所定の物品を挿入脱可能な挿入口が形成されていることを特徴とするコップ収納ケース。
【請求項２】
前記ケース本体の対向二縁と直交する方向に於ける他の対向二縁からそれぞれ連設された一対の延出片を有し、
延出片の全部又は一部分を前記挿入口からコップの内周面側へ折り曲げることによって、該コップの内周面に接しうる緩衝部が形成されている請求項１に記載のコップ収納ケース。
【請求項３】
前記保持片の緩衝面部の端部が、収納されたコップの底部内面に沿うように折り曲げられている請求項１または２に記載のコップ収納ケース。
【請求項４】
前記延出片の緩衝部の端部が、挿入口から挿入された物品の段部に係合可能である請求項２または３に記載のコップ収納ケース。
【請求項５】
前記保持面部の一部分に舌状面部が形成され、舌状面部が、挿入口に延在している請求項１〜４のいずれかに記載のコップ収納ケース。
【発明の詳細な説明】
【技術分野】
【０００１】
本発明は、コップを収納した状態で、ボトル型容器などの物品に取り付けることができるコップ収納ケースに関する。
【背景技術】
【０００２】
従来、コップを包装するケースとして、様々な包装材が用いられている。このうち、比較的安価に製造でき、更に、不使用時には折り畳んで扁平状にして保管できるなどの理由から、合成樹脂製シート、厚紙などのシート材を組み立てたコップ収納ケースが多用されている。
【０００３】
ところで、コップは、それ自体単独で販売する他、他の物品に付属させて販売する場合もある。例えば、飲料を入れたボトル型容器に、コップを付属させて販売する方式などである。
このような販売方式に於いて、従来、図１０及び図１１に示すようなコップ収納ケース１００が用いられている。
このコップ収納ケース１００は、シート材を組み立てて形成されており、内部にコップＡを収納可能な上面開口型の直方体状のケース本体１２０と、ケース本体１２０の上面開口部１２３の３方の縁からそれぞれ連設され、且つ内側へ折り曲げることによって、収納されたコップＡの開口端部に接してコップＡを抜脱不能に保持する保持片１３０と、を有している。
この３つの保持片１３０には、コップＡの開口部よりも小径の挿入口１４０が形成されいる。かかるコップ収納ケース１００は、ケース本体１２０内にコップＡを入れた後、各保持片１３０を順次折り曲げて重ね、最後に折り曲げる保持片１３０をケース本体１２０に固定することにより、コップＡの開口上端部を保持片１３０にて収納保持できると共に、コップＡの開口部に保持片１３０の挿入口１４０が連通する。
このコップ収納済みの収納ケース１００の挿入口１４０に、図１２及び図１３に示すように、ボトル型容器Ｂの首部を挿入することにより、コップ収納ケース１００を付属させることができる。
【０００４】
さらに、上記従来のコップ収納ケース１００は、搬送等の際、挿入したボトル型容器Ｂの首部が、コップＡの内周面に当たり、コップＡが破損する虞がある。このため、該容器Ｂの首部とコップＡの内周面の間に、別途、緩衝部材１５０が介装される。緩衝部材１５０としては、ボトル型容器の首部を包むように、段ボールを折り曲げて形成されたものが用いられる。
しかしながら、コップ収納ケース１００と緩衝部材１５０は、別体であるため、コップＡを収納する際、両者を組み合わせつつ組み立てなければならない。従って、コップの収納作業が煩雑となる。また、両者は別体であるため、異なる２点の部材をそれぞれ作製しなければならず、それに応じて製品コストも上昇する。
【０００５】
また、上記従来のコップ保持ケース１００は、挿入したボトル型容器Ｂから不用意に外れる虞があり、その改善も望まれている。
さらに、上記従来のコップ保持ケース１００は、ボトル型容器Ｂの首部の径に応じて挿入口１４０の大きさが決められる。具体的には、挿入口１４０の開口径が、ボトル型容器Ｂの首部の径よりも随分と大きい場合には、該首部に挿入されたコップ収納ケース１００が、揺れ動いて安定性に劣る。従って、コップ収納ケース１００の安定性を考慮すると、挿入口１４０の開口径はボトル型容器Ｂの首部の径に適合するように形成されていることが好ましい。しかしながら、このように形成されているコップ収納ケース１００は、特定形状のボトル型容器Ｂにしか取り付けることができず、汎用性に劣るという問題がある。
【発明の開示】
【発明が解決しようとする課題】
【０００６】
そこで、本発明は、収納したコップが破損することを防止でき、且つコップの収納作業を比較的簡易に行うことができるコップ収納ケースを提供することを課題とする。
また、本発明は、ボトル型容器などの物品から不用意に外れ難いコップ収納ケースを提供することを第２の課題とする。
さらに、本発明は、異なる形状の物品にも簡単に取り付けることができる汎用性に優れたコップ収納ケースを提供することを第３の課題とする。
【課題を解決するための手段】
【０００７】
上記問題点に鑑みて、本発明は、シート材を組み立てて形成されており、コップを収納可能な上面開口型のケース本体と、ケース本体の上面開口部の対向二縁からそれぞれ連設された一対の保持片と、を有し、各保持片を内側へ折り曲げることによって、収納されたコップの開口端部に接する保持面部が形成され、更に、各保持片の中途部をコップの内周面側へ折り曲げることによって、コップの内周面に接しうる緩衝面部が形成されており、折り曲げられた一対の保持片の間に、所定の物品を挿入脱可能な挿入口が形成されているコップ収納ケースを提供する。
【０００８】
上記コップ収納ケースは、ケース本体内にコップを入れた後、保持片を折り曲げることによって、収納されたコップの開口端部に接する保持面部が形成されると共に、コップの内周面に接しうる緩衝面部が形成される。従って、コップは、ケース本体内から抜け出ずに収納保持される。この折り曲げた一対の保持片の間には、挿入口が形成されているので、コップ収納済みのケースの挿入口に、所定の物品（例えば、ボトル型容器の首部等）を挿入し、該ケースを物品に付属させることができる。
かかる挿入物品とコップの内周面の間には、保持片の緩衝面部が介在している。この緩衝面部は、シート材の一部分で構成され、適宜変形してコップの内周面に接しうるので、物品とコップの緩衝部材として機能する。従って、上記コップ収納ケースは、搬送等の際、コップが破損することを防止できる。
さらに、コップ収納ケースは、シート材を組み立てて形成されているので、従来のように、別途の緩衝部材を組み合わせる必要がなく、コップの収納作業を比較的簡易に行える。
【０００９】
さらに、本発明の好ましい態様は、上記ケース本体の対向二縁と直交する方向に於ける他の対向二縁からそれぞれ連設された一対の延出片を有し、該延出片の全部又は一部分を前記挿入口からケース本体の内部へ折り曲げることによって、収納されたコップの内周面に接しうる緩衝部が形成されている上記コップ収納ケースを提供する。
【００１０】
この好ましいコップ収納ケースは、保持片が連設された対向二縁と直交する方向に於ける他の対向二縁から一対の延出片が連設され、これを内側に折り曲げることによって、コップの内周面に接しうる緩衝部が形成されている。この緩衝部は、上記緩衝面部と同様に、挿入物品とコップの内周面の間に介在している。更に、該緩衝部は、上記緩衝面部と同様に、シート材の一部分で構成され、適宜変形してコップの内周面に接しうるので、物品とコップの緩衝部材として機能する。
そして、一対の緩衝部と上記一対の緩衝面部は、直交する対向二縁にそれぞれ設けられているので、該緩衝部と緩衝面部が挿入物品の周囲に配置される。従って、該コップ収納ケースは、搬送等の際、コップが破損することを確実に防止できる。
【００１１】
また、本発明の好ましい態様は、上記保持片の緩衝面部の端部が、収納されたコップの底部内面に沿うように折り曲げられている上記コップ収納ケースを提供する。
この好ましいコップ収納ケースは、挿入物品とコップの底部内面の間に、折り曲げられた緩衝面部の端部が介在している。従って、物品が、コップの底部内面に接するほどにコップ収納ケースに対して深く挿入される場合でも、物品とコップの底部内面の間に緩衝面部の端部が介在し、コップが破損することを防止できる。
【００１２】
さらに、本発明の好ましい態様は、上記延出片の緩衝部の端部が、挿入口から挿入された物品の段部に係合可能である上記コップ収納ケースを提供する。
この好ましいコップ収納ケースは、緩衝部の端部が、挿入物品の段部に係合しうるので、コップ収納ケースが物品から不用意に外れることを防止できる。なお、この緩衝部は、対向して一対形成されているので、両緩衝部の端部同士が、挿入物品を挟むように係合する。
【００１３】
また、本発明の好ましい態様は、上記保持面部の一部分に舌状面部が形成され、該舌状面部が、挿入口に延在している上記コップ収納ケースを提供する。
この好ましいコップ収納ケースは、挿入口に舌状面部が延在しているので、挿入口の開口面積が小さくなる。この舌状面部は、シート材の一部分で構成されているので、適宜変形可能である。このため、挿入口に挿入された物品の形状に応じて舌状面部が適宜変形し、異なる形状の物品の挿入を許容しつつ、該舌状面部が物品の外面に接し、ケースが物品に対して揺れ動くことを規制できる。
【発明の効果】
【００１４】
本発明に係るコップ収納ケースは、コップの破損を防止しつつ、ボトル型容器などの物品に付属させることができる。また、本発明のコップ収納ケースは、コップの収納作業を比較的簡易に行うことができ、又、製品単価も比較的安価に抑えることができる。
また、本発明の好ましい態様では、ボトル型容器などの物品から不用意に外れ難いコップ収納ケースを提供できる。
さらに、本発明の好ましい態様では、異なる形状の物品にも取り付けることができ、更に、取り付け後、安定性に優れたコップ収納ケースを提供できる。
【発明を実施するための最良の形態】
【００１５】
以下、本発明について、図面を参照しつつ具体的に説明する。
図１に於いて、１は、本発明の一実施形態のコップ収納ケースを示す。なお、図１に於いて、コップＡを二点鎖線で示し、一部の折り目を一点鎖線で示している。
コップ収納ケース１は、後述するように、シート材を組み立てて形成されている。
該コップ収納ケース１は、コップＡを収納可能な上面開口型のケース本体２と、該ケース本体２に収納されたコップＡを、ケース本体２内から抜脱不能に保持する保持片３と、を有する。
保持片３は、ケース本体２の上面開口部の対向二縁からそれぞれ連設されている。保持片３は、内側へ折り曲げることによって、収納されたコップＡの開口端部Ａ１に接する保持面部３１と、該コップＡの内周面に接しうる緩衝面部３２と、該コップＡの底部内面に接する抑え面部３３と、を有する。折り曲げられた一対の保持片３，３の間には、物品（例えばボトル型容器の首部等）に挿入するための挿入口４（図３（ｂ）等を参照）が形成されている。また、保持面部３１には、挿入口４に延在する舌状面部３４が形成されている。
さらに、ケース本体２の対向二縁と直交する方向に於ける他の対向二縁には、一対の延出片５，５がそれぞれ連設されている。
この延出片５は、内側に折り曲げて保持片３の保持面部３１に重ね合わせることによって、保持面部３１を止める抑止部５１と、ケース本体２の内部へ折り曲げることによって、コップＡの内周面に接しうる緩衝部５２と、を有する。
【００１６】
本発明のコップ収納ケース１に収納されるコップＡは、飲み口を有する有底筒状のものであれば特に限定されない。コップＡの形状は、例えば、縦断面凹状のものであり、代表的には、図示したような有底円筒状が例示されるが、有底四角筒状、有底楕円筒状、有底六角筒状など、その他の形状でもよい。また、コップＡは、ケース本体２内に収納できる程度の範囲で、外周面に取っ手が形成されているものでもよい。
また、コップＡの材質についても特に限定されず、陶器製、ガラス製、合成樹脂製、金属製、木製などの公知の材質でもよい。もっとも、本発明のコップ収納ケース１は、緩衝性に優れていることから、陶器製やガラス製のコップＡを収納した際に、特に顕著な効果を奏する。
なお、コップＡとは、液体の飲用に使用できる器類を意味し、一般に、グラス、湯飲み、カップなどと呼ばれているものを含む意味である。
【００１７】
コップ収納ケース１は、可撓性のあるシート材を組み立てることによって形成されている。
該シート材としては、ポリプロピレン、ポリエチレンなどのポリオレフィン系、ポリエチレンテレフタレートなどのポリエステル系、ポリスチレン系、ポリアミド系などの各種合成樹脂製シート、紙、合成紙などの各種シートを用いることができる。また、シート材は、同種又は異種の積層シートでもよい。中でも、収納したコップなどを外部から視認できることから、透明（無色透明又は有色透明）なシート材を用いることが好ましい。
シート材の厚みは、特に限定されないが、例えば、合成樹脂製シートの場合には、０．２ｍｍ〜１．０ｍｍ程度が例示される。
中でも、適度な剛性と柔軟性を有することから、厚み０．２ｍｍ〜０．６ｍｍ程度の透明なポリプロピレンのシートを用いることが好ましい。
【００１８】
次に、図２は、コップ収納ケース１を構成する展開シート１０を示す。図２に於いて、全ての折り目を一点鎖線で示す。
この展開シート１０は、１枚のシート材を打ち抜いて形成されている。
この展開シート１０は、ケース本体の４つの側面部を構成する第１〜第４の側面形成部１１と、該側面形成部１１の下辺にそれぞれ連設され、且つ接着剤又は互いに係止させることでケース本体２の底面部を構成する底面形成部１２と、第１及び第３の側面形成部１１，１１の上辺にそれぞれ連設され且つ保持片３を構成する保持片形成部１３と、第２及び第４の側面形成部１１，１１の上辺にそれぞれ連設され且つ延出片５を構成する延出片形成部１５と、第４の側面形成部１１の側辺に連設された糊代形成部１６と、を有する。
各形成部１１，…の連設境界部分には、折り目が形成されている。また、保持片形成部１３の面内には、折り目の両端部から略扇型状の切り目１４が形成されている。この切り目１４で囲われた範囲が、保持片３の舌状面部３４を構成する。また、延出片形成部１５の面内には、一部分を切断しない（一部分に折り目が形成されている）略円形状の切り目１７が形成されている。この切り目１７で囲われた範囲が、延出片５の緩衝部５２を構成する。なお、１８は、一方の延出片形成部から延設された差込み片部を示し、１９は、差込み用の切り目を示す。
【００１９】
ここで、上記切り目は、シート材を貫通する切込み線である。また、上記折り目は、シート材を折り曲げやすくするための易屈曲線である。折り目として、例えば、シート材を厚み方向に切り込んだハーフカット線（Ｖノッチともいう）、貫通孔が断続的に形成されたミシン目などを用いることが好ましい。
【００２０】
以下、本発明のコップ収納ケースの具体的構成について、展開シート１０を組み立てつつコップＡを収納する手順に従って説明する。
展開シート１０の糊代形成部１６を第１の側面形成部１１の側面に接着して、四角筒状に形成する。次に、展開シート１０の底面形成部１２を組み合わせて、前記四角筒の底面開口部を閉塞する。
これにより、図１に示すような、上面開口型のケース本体２が組み立てられる。
【００２１】
上記展開シート１０を用いた場合には、ケース本体２は、上面開口型の有底四角筒状に形成される。具体的には、ケース本体２は、折り目を介して略直角に折り曲げて連設された４つの側面部２１と、この４つの側面部２１の下縁に形成された底面部２２と、を有する。もっとも、ケース本体２は、四角筒状に限られず、例えば、円筒状、六角筒状などの他の形状に変更することも可能である。
ケース本体２の大きさは、収納されるコップＡの大きさ及び形状に合わせて形成され、例えば、該ケース本体２は、４つの側面部２１の中央部に、収納したコップＡの外周面が当接する大きさに形成されている。
このケース本体２の上面開口部は、コップＡを出し入れするための開口部分である。
【００２２】
次に、上記ケース本体２の上面開口部から、コップＡを入れる。コップＡは、その開口部を、ケース本体２の上面開口部側に向けて入れられる。
ケース本体２の上面開口部の縁には、収納したコップＡが抜け出ないように、折り曲げ可能な上記保持片３が一体的に連設されている。
具体的には、一対の保持片３，３は、ケース本体２の上面開口部の対向二縁に、それぞれ連設されている。各保持片３は、ケース本体２の上方に向かうに従って幅狭となる略台形状の面部からなり、ケース本体２の縁に沿って形成された折り目９１（以下、この折り目を「第１折り目９１」という。なお、以下、各構成部材に形成された折り目を便宜上、第２…と記すが、優劣や順序を意味するものではない）を介して、折り曲げることができる。
【００２３】
この保持片３の面内には、ケース本体２の縁と略平行に第２折り目９２及び第３折り目９３が形成されている。第１折り目９１と第２折り目９２で区画された領域が、コップＡの開口端部Ａ１に接し、コップＡを抜脱不能に保持する保持面部３１となる。また、第２折り目９２と第３折り目９３で区画された領域が、コップＡと挿入物品の間に介在し、該物品がコップＡに接触することを防止する緩衝面部３２となる。さらに、第３折り目９３と保持片３の先端縁で区画された領域が、コップＡの底部内面に接する抑え面部３３となる。
【００２４】
第１折り目９１と第２折り目９２の形成間隔（保持面部３１の長さ）は、保持面部３１がコップＡの開口端部Ａ１に接し且つ折り曲げた一対の保持片３の間に挿入口４が形成できる程度であればよい。例えば、開口直径８ｃｍ程度のコップＡを収納する場合、第１折り目９１と第２折り目９２の形成間隔は、１ｃｍ〜３ｃｍ程度に形成される。また、第２折り目９２と第３折り目９３の形成間隔（緩衝面部３２の長さ）は、コップＡの内周面の深さと同程度が好ましい。
【００２５】
図１に示すケース本体２を形成した後、図３（ａ）に示すように、一方の保持片３を、第１折り目９１に於いて、ケース本体２の側面部２１に対して略直角となるように内側へ折り曲げる。折り曲げた保持片３の保持面部３１は、収納したコップＡの開口端部Ａ１に接し、これを保持する。さらに、該保持片３を、第２折り目９２に於いて、保持面部３１に対して略直角となるようにケース本体２の内部へ折り曲げることによって、コップＡの内周面に接しうる緩衝面部３２が形成される。さらに、該保持片３を、第３折り目９３に於いて、緩衝面部３２に対して略直角となるように折り曲げることによって、コップＡの底部内面に接する抑え面部３３が形成される。
他方の保持片３についても同様に、第１折り目９１、第２折り目９２及び第３折り目９３に於いて折り曲げることにより、保持面部３１、緩衝面部３２、及び抑え面部３３が形成される（図３（ｂ））。
このように両保持片３を折り曲げると、保持面部３１が、ケース本体２の上面開口部の一部分を塞ぐと共に、両保持片３の両保持面部３１の間に、挿入口４が形成される。
【００２６】
また、両保持面部３１に形成された舌状面部３４が、挿入口４に延在して突出する。この舌状面部３４は、第１折り目９１を分断して形成された円弧状の切り目１４で囲われた部分である。保持片３を第１折り目９１にて折り曲げることにより、舌状面部３４は、保持面部３１と同一平面上であって、第１折り目９１よりも内側に突出し、両保持面部３１の間に形成された挿入口４に延在している。
従って、挿入口４は、延在した舌状面部３４の突出面積相当分だけ、開口面積が小さくなっている。
【００２７】
上記保持片３の緩衝面部３２は、コップＡの内周面に対面しており、シート材で構成されているので、外部から力が加わると適宜に変形可能である。
また、舌状面部３４も同様に、シート材で構成されているので、外部から力が加わると適宜に変形可能である。
【００２８】
一方、ケース本体２の上面開口部の縁には、折り曲げ可能な延出片５が一体的に連設されている。
具体的には、ケース本体２の上面開口部の縁のうち、一対の保持片３が連設された対向二縁と直交する方向に於ける対向二縁に、一対の延出片５，５が連設されている。各延出片５は、ケース本体２の上面開口部と略同形の矩形状の面部からなり、ケース本体２の縁に沿って形成された第４折り目９４を介して、折り曲げることができる。
【００２９】
この延出片５の面内には、第４折り目９４と略平行に第５折り目９５が形成されており、この第５折り目９５の両端部から略円状の切り目１７が形成されている。この切り目１７は、第５折り目９５を基準として、第４折り目９４と反対側（延出片５の先端側）の領域に形成されている。さらに、切り目１７で囲われた領域内には、一対の第６折り目９６が形成されている。この第６折り目９６は、第５折り目９５と略直交する方向に伸び、第５折り目９５の両端部から切り目１７に至るまで形成されている。
切り目１７の直径は、挿入口４の間隔（一対の保持面部３１，３１の先端（第２折り目９２）の間隔）と略同程度又はそれよりも大きいことが好ましい。また、一対の第６折り目９６，９６の形成間隔は、上記一対の保持面部３１，３１からぞれぞれ突出した舌状面部３４の先端の間隔よりも狭く形成されていることが好ましい。
なお、一方の延出片５とケース本体２の連設境界部分には、差込み用の切り目１９が形成されている。他方の延出片５の先端部には、差込み片部１８が連設されている。
【００３０】
一対の保持片３，３を折り曲げた後、図４（ａ）に示すように、一方の延出片５の切り目１７で囲われた領域を、第５折り目９５及び第６折り目９６に於いて、内側へそれぞれ折り曲げる。この切り目１７で囲われた領域を折り曲げることによって、延出片５の中央部に、切り目１７の形状に相当する略円状の孔部５３が形成される。なお、切り目１７で囲われた領域は、延出片５の緩衝部５２となる。
【００３１】
次に、図４（ｂ）に示すように、一方の延出片５を、第４折り目９４に於いて内側へ折り曲げ、該延出片５を保持片３の保持面部３１の上面に重ね合わせる。折り曲げた延出片５は、保持面部３１と略平行になり、延出片５に形成された孔部５３が、挿入口４の上に重って連通する。そして、第６折り目９６にて折り曲げた切り目１７で囲われた領域を、挿入口４からコップＡの内周面側へと折り曲げることによって、コップＡの内周面に接しうる緩衝部５２が形成される。
【００３２】
さらに、図５（ａ）に示すように、他方の延出片５を同様にして、第４折り目９４に於いて内側へ折り曲げ、同図（ｂ）に示すように、一方の延出片５の上面に重ね合わせる。他方の延出片５は、その孔部５３が一方の延出片５に形成された孔部５３に一致して、一方の延出片５と平行に重なる。そして、第６折り目９６にて折り曲げた切り目１７で囲われた領域を、一方の延出片５の孔部５３からコップＡの内周面側へと折り曲げることによって、コップＡの内周面に接しうる緩衝部５２が形成される。
最後に、他方の延出片の差込み片部１８を、一方の延出片の差込み用切り目１９に差し入れることにより、保持片３及び延出片５がケース本体２に固定される。
得られたコップ包装ケース１は、コップＡの内部に於いて、対向する一対の緩衝面部３２，３２と、該一対の緩衝面部３２，３２の対方向と直交する方向に対向する一対の緩衝部５２，５２と、を有する。
【００３３】
コップを収納した収納ケース１は、例えば、挿入口４から所定の物品を挿入して使用される。
物品は、特に限定されないが、コップを付属させることから、飲料容器が好ましい。飲料としては、アルコール類、清涼飲料などが挙げられる。また、物品の形状としては、ケース１の挿入口に挿入できる挿入部分を有するものであれば特に限定されないが、好ましくは、挿入口４に挿入可能な首部を有するボトル型容器である。
【００３４】
図６は、首部Ｂ１を有するボトル型容器Ｂに、本発明のコップ収納ケースを付属させる構成例を示している。
ボトル型容器Ｂは、首部Ｂ１を上に向けて載置面上に載置される。コップ収納ケース１の挿入口４を、該ボトル型容器Ｂの首部Ｂ１に挿入することにより、コップ収納ケース１はボトル型容器Ｂに取り付けられる。
挿入されたボトル型容器Ｂの首部Ｂ１とコップＡの内周面の間には、図７に示すように、一対の緩衝面部３２，３２が対向して介在している。かかる緩衝面部３２は、シート材（保持片３）の一部分で構成され且つ第２折り目９２にて折り曲げられているので、ボトル型容器Ｂが揺れ動いた際に、適宜変形してコップＡの内周面に接触する。
また、挿入されたボトル型容器Ｂの首部Ｂ１とコップＡの内周面の間には、図８に示すように、一対の緩衝部５２，５２が対向して介在している。かかる緩衝部５２は、シート材（延出片５）の一部分で構成され且つ第５折り目９５にて折り曲げられているので、ボトル型容器Ｂの首部Ｂ１が揺れ動いた際に、適宜変形してコップＡの内周面に接触する。かかる一対の緩衝部５２，５２は、保持片３，３が連設された対向二縁と直交する方向に於ける他の対向二縁から連設された一対の延出片５，５に形成されているので、首部Ｂ１の周囲に一対の緩衝面部３２，３２及び緩衝部５２，５２が配置される。
このため、一対の緩衝面部３２，３２及び緩衝部５２，５２が、コップＡとボトル型容器Ｂの間の緩衝部材として機能し、搬送等の際、コップＡが破損することを防止できる。
特に、延出片５に形成された緩衝部５２，５２は、図９（ａ）に示すように、第６折り目９６にてコップＡ側へ折り曲げられ、コップＡと接触しうる脚部５２ａが形成されている。該脚部５２ａは、コップＡの内周面に接触した際に変形し易いので、該脚部５２ａを有する緩衝部５２は、特に緩衝効果に優れている。
【００３５】
さらに、上記緩衝部５２の端部は、図８及び図９（ａ）に示すように、ボトル型容器Ｂの首部Ｂ１に形成された段部Ｂ２に係合する。このため、コップ収納ケース１がボトル型容器Ｂから不用意に外れることを防止できる。この緩衝部５２の端部は、ボトル型容器Ｂの首部Ｂ１に対向して係合しているので、特に、コップ収納ケース１が外れることを防止できる。
【００３６】
また、挿入口４に一対の舌状面部３４が延在しているので、挿入口４からボトル型容器Ｂを挿入した際、図７及び図９（ｂ）に示すように、舌状面部３４が傾斜状に適宜変形して首部Ｂ１の下方の形状（ボトル型容器Ｂの首部Ｂ１の下方は、通常、徐々に大径化した肩部を有する）に沿う。かかる舌状面部３４が適宜変形してボトル型容器Ｂの外面に沿うことによって、首部Ｂ１の形状の異なるボトル型容器Ｂの挿入を許容しつつ、コップ収納ケース１がボトル型容器Ｂに対して揺れ動くことを規制することができる。
【００３７】
さらに、保持片３の端部（抑え面部３３）は、コップＡの底部内面に沿うように折り曲げられているので、図７に示すように、コップＡの底部内面とボトル型容器Ｂの頂部の間に、該抑え面部３３が介在している。かかる抑え面部３３によって、ボトル型容器Ｂの頂部が、コップＡに直接接触することを防止できる。このため、ボトル型容器Ｂの首部Ｂ１が、コップの底部内面に接するほどに長いものであっても、コップＡが破損することを防止できる。従って、コップ収納ケース１の安定性が良くなる。
【００３８】
なお、本発明は、上記実施形態に限られず、本発明の意図する範囲で適宜設計変更可能である。
例えば、上記実施形態では、延出片５の緩衝部５２は、折り曲げられた脚部５２ａを有するが、（該脚部５２ａを有さず）平板状の緩衝部５２に変形することもできる。
また、上記実施形態では、保持片３の緩衝面部３２は、平板状であるが、例えば、緩衝面部５２の一部分（例えば、緩衝面部５２の両側辺部）をコップＡ側に折り曲げて、上記延出片５の緩衝部５２と同様に、脚部を形成することもできる。
さらに、上記実施形態に於いて、延出片５の緩衝部５２は、略円状に形成されているが、例えば、矩形状などの他の形状に形成されていてもよい。また、その他の部分についても、上記実施形態に示す形状以外の形状に適宜変形することもできる。
【図面の簡単な説明】
【００３９】
【図１】本発明のコップ収納ケースの一実施形態を示し、コップを収納する際にケースを開放した状態の分解斜視図。なお、図１０を除き、各図に於いて、コップは、二点鎖線で表す。
【図２】コップ収納ケースを構成する展開シートの平面図。但し、折り目は、破線で表す。
【図３】（ａ）は、コップを収納した後、一方の保持片（実線で表す）を折り曲げた状態の斜視図、（ｂ）は、他方の保持片（実線で表す）を折り曲げた状態の斜視図。
【図４】（ａ）は、一方の延出片（実線で表す）の緩衝部を折り曲げた状態の斜視図、（ｂ）は、該延出片を折り曲げて緩衝部をケース本体内へ入れ込んだ状態の斜視図。
【図５】（ａ）は、他方の延出片（実線で表す）の緩衝部を折り曲げた状態の斜視図、（ｂ）は、該延出片を折り曲げて緩衝部をケース本体内へ入れ込んだ状態の斜視図（コップ収納済みの収納ケースの完成斜視図）。
【図６】本発明のコップ収納ケースをボトル型容器に取り付けた状態を下方から見た斜視図。
【図７】図６のI−I線に於ける一部省略断面図。
【図８】図６のII−II線に於ける一部省略断面図。
【図９】（ａ）は、緩衝部とボトル型容器の関係を判りやすく表した参考斜視図、（ｂ）は、舌状面部とボトル型容器の関係を判りやすく表した参考斜視図。
【図１０】従来のコップ収納ケースの分解斜視図。
【図１１】コップを収納した状態の従来のコップ収納ケースの斜視図。
【図１２】従来のコップ収納ケースをボトル型容器に挿入する前の斜視図。
【図１３】従来のコップ収納ケースをボトル型容器に取り付けた状態を下方から見た斜視図。
【符号の説明】
【００４０】
１…コップ収納ケース、２…ケース本体、３…保持片、３１…保持面部、３２…緩衝面部、３３…抑え面部（緩衝面部の端部）、３４…舌状面部、４…挿入口、５…延出片、５２…緩衝部、１０…展開シート、Ａ…コップ、Ａ１…コップの開口端部、Ｂ…ボトル型容器（物品）、Ｂボトル型容器の首部
【図１】
2008094479.tif 000003
【図２】
2008094479.tif 000004
【図３】
2008094479.tif 000005
【図４】
2008094479.tif 000006
【図５】
2008094479.tif 000007
【図６】
2008094479.tif 000008
【図７】
2008094479.tif 000009
【図８】
2008094479.tif 000010
【図９】
2008094479.tif 000011
【図１０】
2008094479.tif 000012
【図１１】
2008094479.tif 000013
【図１２】
2008094479.tif 000014
【図１３】
2008094479.tif 000015